(57)【特許請求の範囲】
【請求項１】
入口側から出口側に向い排ガスを流通させる複数の室を有するケーシングと、各室に対応して設置されており開状態になることにより対応した室に排ガスを流通させる一方、閉状態になることにより対応した室に排ガスが流通することを阻止する複数のダンパと、各室にそれぞれ配置されたセラミック多孔体でなるフィルタとを有する除塵装置と、
排ガス源が排出する除塵用の排ガスを除塵装置に導く除塵用の排気管と、
除塵装置の各室のフィルタの上流側にそれぞれ直接連通する分岐管を有するとともに排ガス源が排出するフィルタの再生用の排ガスを各分岐管を介して除塵装置に導く再生用の排気管と、
再生用の排気管の途中に配設してこの排気管を流通する排ガスを加熱する加熱手段と、
再生用の排ガスの除塵装置の各室に対する流入を制御するよう各分岐管にそれぞれ配設した弁とを有して、
少なくとも何れか一つの前記室に対応する弁を開状態、ダンパを閉状態として当該室のフィルタの再生を行うとともに、残りの室に対応する弁を閉状態、ダンパを開状態として当該室のフィルタで前記排ガスの除塵を行う一方、かかる再生モード乃至除塵モードが各室において順次切り替わるように前記弁及びダンパの動作を制御するように構成したことを特徴とする除塵システム。
【請求項２】
排ガス源は過給機を有する内燃機関で構成する一方、再生用の排気管は過給機の下流側で除塵用の排気管に連通させるとともに、再生用の排気管の途中にファンを介在させたことを特徴とする［請求項１］に記載する除塵システム。
【請求項３】
排ガス源は過給機を有する内燃機関で構成する一方、再生用の排気管は過給機の上流側で除塵用の排気管に連通させたことを特徴とする［請求項１］に記載する除塵システム。
【請求項４】
排ガス源はボイラで構成する一方、再生用の排気管の途中にファンを介在させたことを特徴とする［請求項１］に記載する除塵システム。
【請求項５】
加熱手段は電気ヒータで構成したことを特徴とする［請求項１］〜［請求項４］の何れかに記載する除塵システム。
【発明の詳細な説明】
【０００１】
【発明の属する技術分野】
本発明は除塵システムに関し、特にフィルタの再生用の排ガスを加熱する加熱手段を有する場合に適用して有用なものである。
【０００２】
【従来の技術】
ボイラ装置やごみ焼却炉などから出される排ガス中には煤塵が含まれている。そこで大気汚染を防止するため、上記ボイラ装置等には煤塵を除去（捕集）する除塵装置が設けられている。
【０００３】
ボイラ装置などに利用される従来の除塵装置としては、次のようなものが知られている。
（１）遠心力集塵器
この遠心力集塵器では、遠心力を利用して排ガスに大きな加速度（旋回速度）を与え、煤塵をガスから分離するものであり、実用的なものとしてはサイクロン式集塵器が知られている。
なお、サイクロン式集塵器で代表される遠心力集塵器では、遠心力を利用して除塵するため、ガス中に含まれる煤塵等の粒子径がある程度以上大きくなければ、煤塵を捕集することができない。
【０００４】
（２）濾過式集塵器
濾過式集塵器は、テフロン繊維やガラス繊維を使った濾布で排ガスを濾過して煤塵を捕集するものであり、バグフィルタとして知られている。この濾過式集塵器では、集塵室が複数に分かれており、集塵されたダストの払い落としは、各室ごとに順次行なわれる。払い落し方法としては、機械振動式，逆圧払い落し式，パルスジェット式などがある。
なおバグフィルタでは、バグを通過するガス流速を非常に遅くする必要があり、きわめて多くのバグを必要とする。
【０００５】
（３）電気集塵器
電気集塵器では、放電極周辺のコロナ放電を利用してガス中の煤塵粒子に電荷を与え、この帯電粒子にクーロン力を作用させて集塵極に煤塵を吸引捕集する。なお、電気集塵器では、煤塵等の粒子径がある程度以上大きくなければ、煤塵を捕集することができず、また大きな電力を消費する。
【０００６】
ところで離島などでは、ディーゼル発電設備により発電している。このディーゼル発電設備では、ディーゼル機関により発電機を回転させている。
上記ディーゼル機関から出る排ガス中にも当然に煤塵が含まれているが、現状ではほとんどの場合ディーゼル発電設備には除塵装置を備えていない。その理由は次のとおりである。
【０００７】
ディーゼル機関から出る排ガス中に含まれる煤塵の粒子径は極めて小さい（図８参照）のに対し、遠心力集塵器や濾過式集塵器や電気集塵器は約１［μｍ］以上の粒子径の煤塵でないと捕集ができず、これら従来の集塵器を備えても除塵効率がきわめて悪い。
【０００８】
また除塵効率が悪くても少しでも煤塵排出量を減らすべく、仮に上記従来の集塵器を備えたとしても、排ガスに大きな流通（通過）抵抗が加わり圧力損失が大きくなってディーゼル機関の効率が低下したり（特にバグフィルタを用いた場合）、発電電力を除塵のために多く消費したり（特に電気集塵器の場合）するというデメリットがある。
【０００９】
そこで本願発明者等は、粒子径の小さい煤塵も捕集でき、しかも、圧力損失や消費電力の少ない除塵装置を開発し特許出願した（特願平２−１４７３号：これを以下「先願」と呼ぶ）。
【００１０】
ここで先願の除塵装置の概要を、図９を参照して説明する。同図に示すようにケーシング０１内は仕切板０２により仕切られて５つの流路０３が形成されている。各流路０３にはそれぞれ、入口側（入口ガスダクト０４側）から出口側（出口ガスダクト０５側）に向い、ダンパ０６，ヒータ０７及びフィルタ０８が順に備えられている。
【００１１】
前記ダンパ０６は図示しないモータにより回転して、流路０３を開閉する。前記ヒータ０７は電流が流れて発熱してフィルタ０８を再生する。つまりフィルタ０８を加熱して、フィルタ０８に捕集された煤塵（燃料未然分（スス）や潤滑油が飛散して生じたオイルミスト等）を燃焼させる。また前記フィルタ０８はセラミック多孔体で形成されている。
【００１２】
排ガスは入口ガスダクト０４からケーシング０１内に送られる。排ガス中の煤塵を捕集するには、ヒータ０７に電流を流すことなくダンパ０６を開状態にする。こうすると、排ガスはフィルタ０８を通過し、フィルタ０８に煤塵が捕集される。フィルタ０８を通過した排ガスは出口ガスダクト０５を介して煙突に送られる。
【００１３】
フィルタ０８の再生は、各流路０３ごとに順に位相をずらして周期的に行う。この再生手法を、図９を参照して説明する。なお各流路０３を区別するため、ここでは流路に符号０３−１，０３−２，０３−３，０３−４，０３−５を付して説明する。
【００１４】
図９に示すように期間Ｔ1 では、流路０３−１で再生をし、流路０３−２，０３−３，０３−４，０３−５により煤塵の捕集をする。即ち、流路０３−１では、ダンパ０６を閉じヒータ０７に電流を流してフィルタ０８を加熱してフィルタの再生をし、他の流路０３−２，０３−３，０３−４，０３−５では、ダンパ０６を開けヒータ０７に電流を流すことなくフィルタ０８により煤塵の捕集をする。
【００１５】
期間Ｔ2 では流路０３−２で再生をし、他の流路で煤塵捕集をし、期間Ｔ3 では流路０３−３で再生をし他の流路で煤塵捕集をし、以降同様に、１つの流路で再生をしつつ他の流路で捕集をする。
【００１６】
【発明が解決しようとする課題】
上述の如く従来の除塵装置は、再生用の排気ガスの加熱のためのヒータ０７をケーシング０１内の各室にそれぞれ設けているため、除塵装置の構造の複雑化を招くという問題を有している。
【００１７】
本発明は、上記従来技術に鑑み、除塵装置の構造を簡素化し得、この除塵装置を用いるシステム全体のコストの低減も図り得る除塵システムを提供することを目的とする。
【００１８】
【課題を解決するための手段】
上記目的を達成する本発明の構成は次の点を特徴とする。
【００１９】
１）  入口側から出口側に向い排ガスを流通させる複数の室を有するケーシングと、各室に対応して設置されており開状態になることにより対応した室に排ガスを流通させる一方、閉状態になることにより対応した室に排ガスが流通することを阻止する複数のダンパと、各室にそれぞれ配置されたセラミック多孔体でなるフィルタとを有する除塵装置と、
排ガス源が排出する除塵用の排ガスを除塵装置に導く除塵用の排気管と、
除塵装置の各室のフィルタの上流側にそれぞれ直接連通する分岐管を有するとともに排ガス源が排出するフィルタの再生用の排ガスを各分岐管を介して除塵装置に導く再生用の排気管と、
再生用の排気管の途中に配設してこの排気管を流通する排ガスを加熱する加熱手段と、
再生用の排ガスの除塵装置の各室に対する流入を制御するよう各分岐管にそれぞれ配設した弁とを有して、
少なくとも何れか一つの前記室に対応する弁を開状態、ダンパを閉状態として当該室のフィルタの再生を行うとともに、残りの室に対応する弁を閉状態、ダンパを開状態として当該室のフィルタで前記排ガスの除塵を行う一方、かかる再生モード乃至除塵モードが各室において順次切り替わるように前記弁及びダンパの動作を制御するように構成したこと。
２）  上記１）において、
排ガス源は過給機を有する内燃機関で構成する一方、再生用の排気管は過給機の下流側で除塵用の排気管に連通させるとともに、再生用の排気管の途中にファンを介在させたこと。
３）  上記１）において、
排ガス源は過給機を有する内燃機関で構成する一方、再生用の排気管は過給機の上流側で除塵用の排気管に連通させたこと。
４）  上記１）において、
排ガス源はボイラで構成する一方、再生用の排気管の途中にファンを介在させたことム。
５）  上記１）〜４）の何れかにおいて、
加熱手段は電気ヒータで構成したこと。
【００２４】
【発明の実施の形態】
以下本発明の実施の形態を図面に基づき詳細に説明する。
【００２５】
図１は第１の形態を示すブロック図である。同図に示すように、本形態における排ガス源は過給機１０１を有する内燃機関であるディーゼル機関１０２である。除塵用の排気管１０３は、過給機１０１及び除塵装置Ｉの入側ダンパ８ａ，８ｂ，８ｃ，８ｄ，８ｅを介して除塵すべき排ガスを除塵装置Ｉの各室３ａ，３ｂ，３ｃ，３ｄ，３ｅに導くように構成してある。除塵後の排ガスは出側ダンパ１１ａ，１１ｂ，１１ｃ，１１ｄ，１１ｅを介して外部に排出する。
【００２６】
フィルタ５の再生用の排ガスを流通させる再生用の排気管１０４は、その最上流側を、過給機１０１の下流側で除塵用の排気管１０３に連結するとともに、その最下流側に分岐管１０４ａ，１０４ｂ，１０４ｃ，１０４ｄ，１０４ｅを設けてある。各分岐管１０４ａ〜１０４ｅは、それぞれ弁１０５ａ，１０５ｂ，１０５ｃ，１０５ｄ，１０５ｅを有するとともに、除塵装置Ｉの各室３ａ〜３ｅにフィルタ５の上流側で連通させてある。
【００２７】
ファン１０６及び加熱装置１０７は上流側から順に排気管１０４の途中に介在させてある。ここでファン１０６は再生に必要な排ガス流量を確保すべく排ガスを圧縮する一方、過熱装置１０７は再生に必要な排ガス温度を確保すべく排ガスをヒートアップするように構成してある。
【００２８】
上述の如き形態においては、フィルタ５の再生を行なう再生モードの室３ａ〜３ｅには、ファン１０６で圧縮するとともに加熱装置１０７でヒートアップした排ガスを排気管１０４の分岐管１０４ａ〜１０４ｅを介して導入する。例えば室３ａを再生モードにする場合には、高温ガス弁１０５ａを開状態にするとともに入側ダンパ８ａを閉じる。
【００２９】
一方、他の室３ｂ〜３ｅに関しては、各室３ｂ〜３ｅに対応する弁１０５ｂ〜１０５ｅを閉状態にするとともに、入側ダンパ８ｂ〜８ｅを開状態としておく。
【００３０】
かくして、室３ａにはそのフィルタ５の上流側に分岐管１０４ａを介して高温，高圧の排ガスを導入するとともに、この排ガスによりフィルタ５の再生を行なう一方、他の室３ｂ〜３ｅには排気管１０３を流通する除塵用の排ガスを導入した通常の除塵を行なう。室３ａに関する再生が終了した後には、例えば室３ｂというように再生モードとする室を順次切換える。
【００３１】
図２は第２の形態を示すブロック図である。同図に示すように、本形態は、前記第１の形態に対し、分岐管２０４ａ，２０４ｂ，２０４ｃ，２０４ｄ，２０４ｅを有する排気管２０４を過給機１０１の入力側で排気管１０３に連結してある点が異なる。そこで、図１と同一部分には同一番号を付し重複する説明は省略する。
【００３２】
過給機１０１の入口側の排ガスは出口側に較べ高温，高圧である。特に、温度は５０°〜１５０℃高温である。したがって、入口側の排ガスを利用すれば加熱装置１０７によるヒートアップの割合を小さくできることは明らかである。また、入口側の排ガスを利用すればそれ自体が高圧であるため、ファン１０６も不要になる。
【００３３】
一方、過給機１０１を流通する排ガス量は減少するので、その分過給効率は低減する。
【００３４】
したがって、本形態による技術的効果は、その長所及び欠点の兼合いで決定される。しかし、再生用の排気管２０４に流す排ガスは排気管１０３に流す排ガスの数パーセントで良いため、過給効率の低減は実用上問題はない。
【００３５】
したがって、本形態によれば加熱装置２０７の容量を第１の形態における加熱装置１０７に較べ、格段に小さくすることかができ、また前述の如くファン１０６も不要になる。すなわち、過給機１０１の入口側の高温，高圧の排ガスを有効に利用し得るものとなる。
【００３６】
本形態においても、再生及び除塵時の態様は第１の形態と同様である。
【００３７】
上述の如き第１及び第２の態様では、ディーゼル機関１０２の排ガスを再生用と除塵用とに分けているが、両者の分配比は、▲１▼  排気管１０３，１０４若しくは１０３，２０４の管径を選択する、▲２▼  弁１０５ａ〜１０５ｅに絞り機能を兼備させる等の手段を講じることにより容易に選定し得る。
【００３８】
また、両態様では、ディーゼル機関１０２を排ガス源としたが、過給機１０１を有するもので他の内燃機関でも良い。
【００３９】
図３は第３の態様を示すブロック図である。同図に示すように、排ガス源は、図１のディーゼル機関１０２の代わりにボイラ３０１であっても良い。すなわち、本態様は排ガス源がボイラ３０１である点を除き、図１と全く同構成であり、同様の態様で再生及び除塵作業を行なう。そこで、図３中、図１と同一部分には同一番号を付し、重複する説明は省略する。
【００４０】
上記第１〜第３の態様における過熱装置１０７，２０７は電気ヒータが最も一般的ではあるが、これに限るものでは勿論ない。他に適切な熱源があれば、この熱源から導く熱と熱交換するように構成することによっても所期の目的は達成し得る。
【００４１】
【実施例】
ここで、上述の如き除塵システムにおける除塵装置として有用な、特にディーゼル機関１０２の除塵装置として有用な実施例を説明しておく。
【００４２】
図４は本実施例に得る除塵装置を、一部破断して示す斜視図である。この除塵装置では、ケーシング１内に垂直方向に４枚の仕切板２を備え、ケーシング１内に５つの室３ａ〜３ｅを形成している。各室３ａ〜３ｅは垂直方向に延びておりその中にはそれぞれフィルタ５（詳細後述）を備えている。
【００４３】
各室３ａ〜３ｅの下部の前方側にはそれぞれ入口ガスダクト６ａ〜６ｅが連通しており、各入口ガスダクト６ａ〜６ｅ内には、モータ７ａ〜７ｅの駆動により開閉する入側ダンパ８ａ〜８ｅが備えられている。
【００４４】
また各室３ａ〜３ｅの上部の後方側にはそれぞれ出口ガスダクト９ａ〜９ｅが連通しており、各出口ガスダクト９ａ〜９ｅ内には、モータ１０ａ〜１０ｅの駆動により開閉する出側ダンパ１１ａ〜１１ｅ（なお図では１１ｂ〜１１ｅは見えていない）が備えられている。
【００４５】
そしてディーゼル機関などから出た排ガスは、入口ガスダクト６ａ〜６ｅを介して各室３ａ〜３ｅに導びかれ、各室３ａ〜３ｅを下方から上方に向い通過した後、出口ガスダクト９ａ〜９ｅを介して排出され、煙突に送られる。
【００４６】
一方、各室３ａ〜３ｅには、入口ガスダクト６ａ〜６ｅを介することなく直接各室３ａ〜３ｅに連通する分岐管１０４ａ〜１０４ｅが連結してあり、各分岐管１０４ａ〜１０４ｅが弁１０２ａ〜１０２ｅ（図１〜図３参照）を介して排気管１０３，１０４（図１〜図３参照）に連通している。かくして、加熱装置１０７，２０７（図１〜図３参照）でヒートアップした再生用の高温の排ガスが排気管１０１及び弁１０５ａ〜１０５ｅを介して各室３ａ〜３ｅに直接流入するように構成してある。
【００４７】
前記フィルタ５は、図５に示すように、２枚のフィルタ部材５−１，５−２を合掌配置した構造、即ち上辺が連結されると共に下辺に向うに従い両者間の隙間が漸増するように開いた構造となっている。そして各フィルタ部材５−１，５−２は、枠材５ａにセラミック多孔体５ｂを組み込んだ構成となっている。このセラミック多孔体５ｂは、コージェライト（２ＭｇＯ・Ａｌ2 Ｏ3 ・５ＳｉＯ2 ）とアルミナ（Ａｌ2 Ｏ3 ）の混合物であり、１インチ当りに１０〜１５個の孔を有し、空孔率が高い（空孔率は８０〜９０％）。またセラミック多孔体５ｂの厚さ（排ガスが通過していく方向の長さ）は４０〜６０［ｍｍ］としている。
【００４８】
室３ａ〜３ｅ内を流通する排ガス（ディーゼル機関から出た排ガス）の流速は０．５〜２［ｍ／秒］と速いが、セラミック多孔体５ｂは三次元骨格構造となってその空孔率が大きいので圧力損失は少ない。またセラミック多孔体５ｂの孔の径は数［ｍｍ］と大きいがセラミック多孔体５ｂの厚さが４０〜６０［ｍｍ］あり且つ連続する気孔による流通経路が複数なので、ミクロンオーダの煤塵を捕集することができる。結局、一方を良好にすると他方が悪化する関係にある圧力損失と捕集効率とを勘案して、両特性が良好になるようにセラミック多孔体５ｂの空孔率と厚さを決定した。
【００４９】
なおここで付言すると、バグフィルタでの排ガスの流速は、１〜２［ｍ／分］程度と、きわめて遅い。
【００５０】
また図６に示すように、フィルタ部材５−１，５−２がなす角度θを、１０〜３０°にした。このようにすることにより、フィルタ５の総面積が、室の横断面積に対して広くなり、圧力損失の軽減に寄与する。
【００５１】
【発明の効果】
以上実施例とともに具体的に説明したように、本発明によれば再生用の排ガスのヒートアップ用の加熱手段を除塵装置の外部に配設したので、除塵装置が加熱手段を備える必要はなく、その分構成が簡単となり、システム全体としてのコストの低減化を図り得る。
【図面の簡単な説明】
【図１】本発明の第１の実施の態様を示すブロック図。
【図２】本発明の第２の実施の態様を示すブロック図。
【図３】本発明の第３の実施の態様を示すブロック図。
【図４】本発明の実施例に係る除塵装置を一部破断して示す斜視図。
【図５】フィルタを示す斜視図。
【図６】フィルタを示す正面図。
【図７】ディーゼル排ガス中の煤塵径とその割合を示す特性図。
【図８】従来の除塵装置を一部破断して示す斜視図。
【図９】従来の除塵装置の運転方法を示すタイムシーケンス図。
【符号の説明】
Ｉ  除塵装置
１  ケーシング
２  仕切板
３ａ〜３ｅ  室
５  フィルタ
５−１，５−２  フィルタ部材
５ａ  枠材
５ｂ  セラミック多孔体
６ａ〜６ｅ  入口ガスダクト
７ａ〜７ｅ  モータ
８ａ〜８ｅ  入側ダンパ
９ａ〜９ｅ  出口ガスダクト
１０ａ〜１０ｅ  モータ
１１ａ〜１１ｅ  出側ダンパ
１０１  過給機
１０２  ディーゼル機関
０１３，１０４，２０４  排気管
１０４ａ〜１０４ｅ，２０４ａ〜２０４ｅ  分岐管
１０５ａ〜１０５ｅ  弁
１０６  ファン
１０７，２０７  加熱装置
３０１  ボイラ
【図１】
0003664773.tif 000002
【図２】
0003664773.tif 000003
【図３】
0003664773.tif 000004
【図４】
0003664773.tif 000005
【図５】
0003664773.tif 000006
【図６】
0003664773.tif 000007
【図７】
0003664773.tif 000008
【図８】
0003664773.tif 000009
【図９】
0003664773.tif 000010